(57)【特許請求の範囲】
【請求項１】
少なくとも１次巻線と２次巻線とを備えたトランスと、該トランスの１次巻線に直列に接続した主スイッチ素子と、前記トランスの２次巻線に対して直列に接続したチョークコイルと、出力端子間に並列に接続した平滑コンデンサと、前記トランスの２次巻線に対して直列に接続され、前記主スイッチ素子のオン・オフに同期してオン・オフする整流スイッチ素子と、前記主スイッチ素子のオン・オフに同期してオフ・オンし、オンによって前記チョークコイルの励磁エネルギの放出経路を構成する転流スイッチ素子と、前記主スイッチ素子へ駆動信号を与えるスイッチング制御回路と、を備えた同期整流型フォワードコンバータにおいて、
前記スイッチング制御回路から出力される前記主スイッチ素子の駆動信号のうちオンタイミングおよびオフタイミングのみをトリガパルスとしてパルストランスを介して１次側から２次側へ伝達し、また、前記オンタイミングに対応するトリガパルスと前記オフタイミングに対応するトリガパルスとを互いに極性が同じである第１のパルス信号と第２のパルス信号とに分離し、前記第１のパルス信号と前記第２のパルス信号とを用いて、前記主スイッチ素子のオン・オフに応じて前記整流スイッチ素子および前記転流スイッチ素子の少なくとも一方を駆動する駆動信号を再生する同期整流素子駆動回路を設けた同期整流型フォワードコンバータ。
【請求項２】
前記同期整流素子駆動回路は、
前記主スイッチ素子のオン時に前記整流スイッチ素子の制御端子の電圧を制御して該整流スイッチ素子をオンする整流スイッチオン制御用スイッチ回路と、
前記主スイッチ素子のオフ時に前記整流スイッチ素子の制御端子の電圧を制御して該整流スイッチ素子を強制オフする整流スイッチ制御用スイッチ素子と、
を備え、
前記第１のパルス信号と前記第２のパルス信号とをそれぞれ、前記整流スイッチオン制御用スイッチ回路と前記整流スイッチ制御用スイッチ素子とが備える複数の制御端子のうちのいずれかに印加する請求項１に記載の同期整流型フォワードコンバータ。
【請求項３】
前記同期整流素子駆動回路は、
前記主スイッチ素子のオフ時に前記転流スイッチ素子の制御端子の電圧を制御して該転流スイッチ素子をオンする転流スイッチオン制御用スイッチ回路と、
前記主スイッチ素子のオン時に前記転流スイッチ素子の制御端子の電圧を制御して該転流スイッチ素子を強制オフする転流スイッチ制御用スイッチ素子と、
を備え、
前記第１のパルス信号と前記第２のパルス信号とをそれぞれ、前記転流スイッチオン制御用スイッチ回路と前記転流スイッチ制御用スイッチ素子とが備える複数の制御端子のうちのいずれかに印加する請求項１に記載の同期整流型フォワードコンバータ。
【請求項４】
前記整流スイッチ素子の制御端子の電圧を基に、前記転流スイッチ素子の制御端子の電圧を制御して、該転流スイッチ素子をオフ・オンする転流スイッチ素子制御回路を設けた請求項２に記載の同期整流型フォワードコンバータ。
【請求項５】
前記パルストランスは、前記第１のパルス信号を１次側から２次側へ伝達する第１のパルストランスと、前記第２のパルス信号を１次側から２次側へ伝達する第２のパルストランスとから構成した請求項１〜４のいずれか１項に記載のフォワードコンバータ。
【請求項６】
前記同期整流素子駆動回路の、１つの前記パルストランスの２次側に、前記第１のパルス信号と前記第２のパルス信号とを出力するダイオードブリッジを設けた請求項１〜４のいずれか１項に記載の同期整流型フォワードコンバータ。
【請求項７】
前記同期整流素子駆動回路は、
前記第１のパルス信号と前記第２のパルス信号とが入力されて状態が切り替わり、その状態信号で前記整流スイッチ素子または前記転流スイッチ素子を制御するフリップフロップを備えた請求項１〜６のいずれか１項に記載の同期整流型フォワードコンバータ。
【発明の詳細な説明】
【技術分野】
【０００１】
この発明は、出力電流を同期整流するフォワードコンバータに関するものである。
【背景技術】
【０００２】
従来の同期整流型のフォワードコンバータが特許文献１に開示されている。図１にその特許文献１のコンバータの回路を示す。【０００３】
この図１に示す回路では、トランス４の１次側の主スイッチ素子２がオンすると２次側の整流側同期整流素子５がトランス４の２次巻線４ｂに発生する電圧によってオンし、逆に、転流側同期整流素子６がオフする。ここで転流側同期整流素子６がオフするタイミングが遅れると、２つの同期整流素子５，６を通る短絡経路が形成されてしまうので、トランス４の３次巻線４ｃに直列に駆動スイッチ素子７を設け、１次側の主スイッチ素子２をオンするタイミングで駆動スイッチ素子７をオンさせるように構成している。この構成によって、１次側の主スイッチ素子２がオンする直前に転流側同期整流素子６のゲート容量の電荷を、駆動スイッチ素子７を介して引き抜き、転流側同期整流素子６を速やかにオフして短絡を防止する。
【特許文献１】特開２０００−２６２０５１号公報
【発明の開示】
【発明が解決しようとする課題】
【０００４】
ところが、図１に示したような、トランスの巻線電圧を用いて同期整流素子５，６を制御するいわゆる間接制御型の同期整流型フォワードコンバータにおいては、主スイッチのスイッチング動作が停止すると、または出力端子に比較的高い電圧が印加されると、２次側が自励発振して２次側から１次側へ電力が逆流する（回生される）という問題が生じる。【０００５】
また、転流側同期整流素子６が主スイッチ素子２のオンタイミングにより制御されるため、スイッチ素子駆動回路１２が停止した場合に、転流側同期整流素子６がオフされず、転流側同期整流素子６のゲート・ソース間の漏れ電流でオフされるまでオンするため、出力側から過電圧が印加（逆流）された場合に、２次側のチョークコイル８が励磁されて自励発振が生じてしまう。【０００６】
また、整流側同期整流素子５は、そのゲート電圧がトランス４から供給されてオンし、２次側のチョークコイル８の励磁が１次側から行われる場合には、主スイッチ素子２のオフでチョークコイル８の励磁が終了した際に、その電圧が反転することによって整流側同期整流素子５がオフされ、チョークコイル８の励磁が出力側から行われる場合には、チョークコイル８の励磁状態がリセットし、電圧反転することによって同期整流素子５がオフする。このため、チョークコイル８の励磁状態により、２次側からのトランス４のオン期間が制御されるモードが存在する。スイッチ素子駆動回路１２は、トランス４の巻線電圧を整流平滑して得た電圧に応じて主スイッチ素子２をＰＷＭ制御することによって出力電圧を安定化させようとするが、上記逆流動作が生じた際に、トランス４の巻線電圧が上昇するので、スイッチ素子駆動回路１２の制御が停止する。またスイッチ素子駆動回路１２の制御が停止しない場合でも、上記トランスの巻線電圧による制御とチョークコイル８による制御が混在して異常発振が生じる。【０００７】
さらに、チョークコイル８の励磁により回路動作が不安定となり、同期整流素子５，６のオン期間が制御されないため、出力側からの逆電流を吸い込むことができないという問題も生じる。【０００８】
そこで、この発明の目的は、上述の問題を解消して、出力過電圧による逆流動作時に異常発振や自励発振を防止し、また出力側からの電流の逆流を抑制した同期整流型フォワードコンバータを提供することにある。
【課題を解決するための手段】
【０００９】
上記課題を解決するために、この発明の同期整流型フォワードコンバータは次のように構成する。【００１０】
［１］少なくとも１次巻線と２次巻線とを備えたトランス（Ｔ１）と、該トランス（Ｔ１）の１次巻線に直列に接続した主スイッチ素子（Ｑ１）と、前記トランス（Ｔ１）の２次巻線（Ｎ２）に対して直列に接続したチョークコイル（Ｌ２）と、出力端子間に並列に接続した平滑コンデンサ（Ｃ１）と、前記トランス（Ｔ１）の２次巻線（Ｎ２）に対して直列に接続され、前記主スイッチ素子（Ｑ１）のオン・オフに同期してオン・オフする整流スイッチ素子（Ｑ２）と、前記主スイッチ素子（Ｑ１）のオン・オフに同期してオフ・オンし、オンによって前記チョークコイルの励磁エネルギの放出経路を構成する転流スイッチ素子（Ｑ３）と、前記主スイッチ素子（Ｑ１）へ駆動信号を与えるスイッチング制御回路（２３）と、を備えた同期整流型フォワードコンバータにおいて、
前記スイッチング制御回路（２３）から出力される前記主スイッチ素子（Ｑ１）の駆動信号のうちオンタイミングおよびオフタイミングのみをトリガパルスとしてパルストランス（Ｔ２・Ｔ３）を介して１次側から２次側へ伝達し、また、前記オンタイミングに対応するトリガパルスと前記オフタイミングに対応するトリガパルスとを互いに極性が同じである第１のパルス信号と第２のパルス信号とに分離し、前記第１のパルス信号と前記第２のパルス信号とを用いて、前記主スイッチ素子のオン・オフに応じて前記整流スイッチ素子および前記転流スイッチ素子の少なくとも一方を駆動する駆動信号を再生する同期整流素子駆動回路（２４）を設ける。
【００１１】
［２］前記同期整流素子駆動回路（２４）は、
前記主スイッチ素子（Ｑ１）のオン時に前記整流スイッチ素子（Ｑ２）の制御端子の電圧を制御して該整流スイッチ素子（Ｑ２）をオンする整流スイッチオン制御用スイッチ回路（２７）と、前記主スイッチ素子（Ｑ１）のオフ時に前記整流スイッチ素子（Ｑ２）の制御端子の電圧を制御して該整流スイッチ素子（Ｑ２）を強制オフする整流スイッチ制御用スイッチ素子（Ｑ５）と、を備え、前記第１のパルス信号と前記第２のパルス信号とをそれぞれ、前記整流スイッチオン制御用スイッチ回路（２７）と前記整流スイッチ制御用スイッチ素子（Ｑ５）とが備える複数の制御端子のうちのいずれかに印加するものとする。
【００１２】
［３］前記同期整流素子駆動回路（２４）は、
前記主スイッチ素子（Ｑ１）のオフ時に前記転流スイッチ素子（Ｑ３）の制御端子の電圧を制御して該転流スイッチ素子（Ｑ３）をオンする転流スイッチオン制御用スイッチ回路（２８）と、前記主スイッチ素子（Ｑ１）のオン時に前記転流スイッチ素子（Ｑ３）の制御端子の電圧を制御して該転流スイッチ素子（Ｑ３）を強制オフする転流スイッチ制御用スイッチ素子（Ｑ４）と、を備え、前記第１のパルス信号と前記第２のパルス信号とをそれぞれ、前記転流スイッチオン制御用スイッチ回路（２８）と前記転流スイッチ制御用スイッチ素子（Ｑ４）とが備える複数の制御端子のうちのいずれかに印加するものとする。
【００１３】
［４］前記転流スイッチ素子（Ｑ３）を駆動するために、前記整流スイッチ素子（Ｑ２）制御端子の電圧を基に、前記転流スイッチ素子（Ｑ３）の制御端子の電圧を制御する転流スイッチ素子制御回路（３１）を設ける。
【００１４】
［５］前記パルストランス（Ｔ２，Ｔ３）は、前記第１のパルス信号を１次側から２次側へ伝達する第１のパルストランス（Ｔ２）と、前記第２のパルス信号を１次側から２次側へ伝達する第２のパルストランス（Ｔ３）とから構成する。
【００１５】
［６］前記同期整流素子駆動回路（２４）は、そのパルストランス（Ｔ２）の２次側に、前記第１のパルス信号と前記第２のパルス信号とを出力するダイオードブリッジを設けたものとする。
【００１６】
［７］前記同期整流素子駆動回路（２４）は、前記第１のパルス信号と前記第２のパルス信号とが入力されて状態が切り替わり、その状態信号で前記整流スイッチ素子（Ｑ２）または前記転流スイッチ素子（Ｑ３）を制御するフリップフロップ（３４）を備えたものとする。
【発明の効果】
【００１７】
［１］スイッチング制御回路（２３）から出力される主スイッチ素子（Ｑ１）の駆動信号のうちオンタイミングおよびオフタイミングのみをトリガパルスとしてパルストランス（Ｔ２・Ｔ３）を介して１次側から２次側へ伝達するとともに、該トリガパルスから主スイッチ素子（Ｑ１）のオン時に整流スイッチ素子（Ｑ２）をオン、または主スイッチ素子（Ｑ１）のオフ時に転流スイッチ素子（Ｑ３）をオンさせる駆動信号を再生する同期整流素子駆動回路（２４）を設けたことにより、１次側の制御停止時に２次側の整流スイッチ素子または転流スイッチ素子が確実にオフするため、自励発振が生じなくなる。【００１８】
［２］整流スイッチ素子（Ｑ２）に対する制御電圧を生成する制御電圧信号生成回路（２６）と、該制御電圧信号生成回路（２６）の生成した制御電圧を、主スイッチ素子（Ｑ１）のオン時に整流スイッチ素子（Ｑ２）に印加する整流スイッチオン制御用スイッチ回路（２７）と、主スイッチ素子（Ｑ１）のオフ時に整流スイッチ素子（Ｑ２）の制御端子の電圧を制御して該整流スイッチ素子（Ｑ２）を強制オフする整流スイッチ制御用スイッチ素子（Ｑ５）とを制御用スイッチ素子駆動回路（２４）に備えたことにより、整流スイッチ素子（Ｑ２）の出力容量（寄生容量）、転流スイッチ素子（Ｑ３）の出力容量（寄生容量）、およびチョークコイルＬ２が自由共振して、トランスのオン期間を増加させずにチョークコイル（Ｌ２）の励磁状態をリセットでき、自励発振が防止される。【００１９】
［３］転流スイッチ素子（Ｑ３）に対する制御電圧を生成する制御電圧信号生成回路（２６）と、該制御電圧信号生成回路（２６）の生成した制御電圧を、主スイッチ素子（Ｑ１）のオフ時に転流スイッチ素子（Ｑ３）に印加する転流スイッチオン制御用スイッチ回路（２８）と、主スイッチ素子（Ｑ１）のオン時に転流スイッチ素子（Ｑ３）の制御端子の電圧を制御して該転流スイッチ素子（Ｑ３）を強制オフする転流スイッチ制御用スイッチ素子（Ｑ４）とを制御用スイッチ素子駆動回路（２４）に備えたことにより、転流スイッチ素子（Ｑ３）が主スイッチ素子（Ｑ１）のオン・オフに同期して強制的にオフ・オンするため、トランスのオン期間が変化せず、逆流時にトランスの３次巻線電圧が上昇しない。また、チョークコイル（Ｌ２）が飽和するまで、出力からの逆流を１次側へ回生しながら安定した動作がなされる。また、転流スイッチ素子（Ｑ３）が強制的にオフされるため自励発振は生じない。【００２０】
［４］転流スイッチ素子（Ｑ３）を駆動するために、整流スイッチ素子（Ｑ２）のオン・オフ制御信号を基に、転流スイッチ素子（Ｑ３）の制御端子の電圧を制御する転流スイッチ素子制御回路（３１）を設けたことにより、整流スイッチ素子（Ｑ２）および転流スイッチ素子（Ｑ３）の両方が主スイッチ素子（Ｑ１）に同期して強制的にオン・オフして自励発振が防止される。【００２１】
［５］前記スイッチング制御回路（２３）から出力される前記主スイッチ素子（Ｑ１）の駆動信号のうちオンタイミングをトリガパルスとして１次側から２次側へ伝達する第１のパルストランス（Ｔ２）と、オフタイミングをトリガパルスとして１次側から２次側へ伝達する第２のパルストランス（Ｔ３）をそれぞれ設けたことにより、それぞれのパルストランス（Ｔ２，Ｔ３）の１次側および２次側に接続される回路が複雑化せず、オンタイミング信号とオフタイミング信号を確実に分離できる。【００２２】
［６］同期整流素子駆動回路（２４）は、そのパルストランス（Ｔ２）の２次側に、主スイッチ素子（Ｑ１）のオンタイミング信号とオフタイミング信号を出力するダイオードブリッジを設けたことにより、単一のパルストランスを用いて主スイッチ素子（Ｑ１）のオンタイミングおよびオフタイミングを１次側から２次側へ伝達でき、部品点数が削減できる。【００２３】
［７］同期整流素子駆動回路（２４）が、主スイッチ素子（Ｑ１）のオン時とオフ時とで状態が切り替わり、その状態信号で整流スイッチ素子（Ｑ２）または転流スイッチ素子（Ｑ３）を制御するフリップフロップ（３４）を備えたことにより、ＩＣされたフリップフロップを用いて部品点数を容易に削減できる。
【図面の簡単な説明】
【００２４】
【図１】特許文献１に係るコンバータの構成を示す回路図である。
【図２】第１の実施形態に係る同期整流型フォワードコンバータの回路図である。
【図３】同コンバータの主要部の波形図である。
【図４】第２の実施形態に係る同期整流型フォワードコンバータの回路図である。
【図５】同コンバータの主要部の波形図である。
【図６】同コンバータの主要部の波形図である。
【図７】第３の実施形態に係る同期整流型フォワードコンバータの回路図である。
【図８】同コンバータの主要部の波形図である。
【図９】第４の実施形態に係る同期整流型フォワードコンバータの回路図である。
【図１０】第５の実施形態に係る同期整流型フォワードコンバータの回路図である。
【図１１】第６の実施形態に係る同期整流型フォワードコンバータの回路図である。
【図１２】第７の実施形態に係る同期整流型フォワードコンバータの回路図である。
【図１３】第８の実施形態に係る同期整流型フォワードコンバータの回路図である。
【図１４】第９の実施形態に係る同期整流型フォワードコンバータの回路図である。
【符号の説明】
【００２５】
２１−入力端子
２２−３次整流平滑回路
２３−スイッチング制御回路
２４−同期整流素子駆動回路
２５，２９，３０，３３−駆動制御信号再生回路
２６−制御電圧信号生成回路
２７−整流スイッチオン制御用スイッチ回路
２８−転流スイッチオン制御用スイッチ回路
３１−転流スイッチ素子駆動回路
３２−出力端子
３４−フリップフロップ
３５，３６−ドライバ
Ｑ１−主スイッチ素子
Ｑ２−整流スイッチ素子
Ｑ３−転流スイッチ素子
Ｑ４−転流スイッチ制御用スイッチ素子
Ｑ５−整流スイッチ制御用スイッチ素子
Ｑ６，Ｑ７−制御用スイッチ素子
Ｔ１−主トランス
Ｔ２，Ｔ３−パルストランス
Ｎ１１−１次巻線
Ｎ１２−２次巻線
Ｎ１３−３次巻線
Ｎ１４−補助巻線
Ｌ１，Ｌ２−チョークコイル
Ｃ１−平滑コンデンサ
【発明を実施するための最良の形態】
【００２６】
《第１の実施形態》
第１の実施形態に係る同期整流型フォワードコンバータの構成について、図２を基に説明する。
図２は、一部をブロック化および記号化した同期整流型フォワードコンバータの回路図である。図２に示すように、主トランスＴ１には１次巻線Ｎ１１、２次巻線Ｎ１２、３次巻線Ｎ１３を備えている。１次巻線Ｎ１１には直列に主スイッチ素子Ｑ１を接続し、入力端子２１（２１ａ，２１ｂ）の間にコンデンサを接続している。主トランスＴ１の２次巻線Ｎ１２には直列にチョークコイルＬ２および整流スイッチ素子Ｑ２を接続し、出力端子３２（３２ａ，３２ｂ）の間には平滑コンデンサＣ１を接続している。また、チョークコイルＬ２と平滑コンデンサＣ１とともにループを構成し、チョークコイルＬ２の励磁エネルギの放出時の転流経路となる位置に転流スイッチ素子Ｑ３を設けている。【００２７】
主トランスＴ１の３次巻線Ｎ１３には、ダイオードＤ１，Ｄ２、チョークコイルＬ１、コンデンサＣ２からなる３次整流平滑回路２２を接続している。スイッチング制御回路２３は、３次整流平滑回路２２の出力を電源としておよび間接的な出力電圧検出信号として入力し、主スイッチ素子Ｑ１に対してスイッチング制御信号を出力する。【００２８】
整流スイッチ素子Ｑ２の制御端子には、主トランスＴ１の２次巻線Ｎ１２の起電圧を印加するように回路を構成している。【００２９】
同期整流素子駆動回路２４は、スイッチング制御回路２３から出力される主スイッチ素子Ｑ１に対するスイッチング制御信号を入力し、それに同期するタイミングで整流スイッチ素子Ｑ２および転流スイッチ素子Ｑ３を駆動する。【００３０】
図２に示した同期整流型フォワードコンバータの動作を説明するにあたり、同期整流素子駆動回路２４の作用・効果を明確にするために、整流スイッチ素子Ｑ２が主トランスＴ１の２次巻線Ｎ１２でのみ駆動される間接駆動型（巻線駆動型）の場合と、整流スイッチ素子Ｑ２を、同期整流素子駆動回路２４を介して１次側から直接駆動する場合とについて、図３の波形図を参照して説明する。【００３１】
図３の（Ａ）は間接駆動型での通常動作時、（Ｂ）は間接駆動型での逆流動作時、（Ｃ）は直接駆動型での動作時の波形である。【００３２】
〈通常動作〉
図３の（A）はこの通常動作時の波形図である。図３の（Ａ）において、各期間Ａ〜Ｅの状態は次のとおりである。
期間Ａ：Ｑ１のオン事前トリガ発信期間、Ｑ３オフ期間
期間Ｂ：Ｑ１オン期間、トランスオン期間
この期間Ｂは、チョークコイルＬ２の入力電源による励磁期間（電力が入力側から出力側へ伝達される。）
期間Ｃ：チョークコイルＬ２の反転期間、Ｑ１オフ期間、トランスオン期間
期間Ｄ：Ｑ２，Ｑ３の同時オフ期間
期間Ｅ：Ｑ３のオン期間（チョークコイルＬ２の励磁リセット期間）
間接駆動型での通常動作時では、先ずスイッチング制御回路２３から主スイッチ素子Ｑ１のゲートへ印加される電圧によって主スイッチ素子Ｑ１がオンする。このＱ１のオンにより主トランスＴ１の１次巻線Ｎ１１に電流が流れる。これに伴い２次巻線Ｎ１２の起電圧によって整流スイッチ素子Ｑ２がオンして、Ｎ１２→Ｃ１→Ｌ２→Ｑ２→Ｎ１２の経路で電流が流れ、Ｃ１が充電されると共にＬ２に励磁エネルギが蓄積される。この時、同期整流素子駆動回路２４は、転流スイッチ素子Ｑ３をオンすることがなく、Ｑ３はオフのままである。【００３３】
スイッチング制御回路２３の制御により主スイッチ素子Ｑ１がオフすると、２次巻線Ｎ１２の起電圧が反転してＱ２の制御端子電圧が反転するのでＱ２がオフする。また、同期整流素子駆動回路２４は主スイッチ素子Ｑ１のオフに同期して転流スイッチ素子Ｑ３をオンする。これにより、Ｌ２→Ｑ３→Ｃ１→Ｌ２の経路で転流が生じる。
上記主スイッチ素子Ｑ１のオン・オフによって上記整流と転流を繰り返す。【００３４】
このように通常動作時では、入力電力によりチョークコイルＬ２が励磁され、出力に電力が伝達されることによってチョークコイルＬ２の励磁がリセットされる。【００３５】
〈間接駆動型での逆流動作時〉
図３の（Ｂ）はこの逆流動作時の波形図である。図３の（B）において、各期間Ａ〜Ｅの状態は次のとおりである。
期間Ａ：Ｑ１のオン事前トリガ発信期間、Ｑ３のオフ期間
期間Ｂ：Ｑ１オン期間、トランスオン期間
この期間Ｂは、通常動作時とは異なり、チョークコイルＬ２の励磁リセット期間であり、電力は出力側から入力側へ回生される。【００３６】
期間Ｃ’：逆流による入力側への電力回生期間であり、Ｑ１のオフ期間、トランスオン期間、チョークコイルＬ２の励磁リセット期間
このＣ’に相当する期間は図３の（Ａ）に示した通常動作時には存在しない。【００３７】
期間Ｃ：チョークコイルＬ２の反転期間、Ｑ１オフ期間、トランスオン期間
期間Ｄ：Ｑ２，Ｑ３の同時オフ期間
期間Ｅ：Ｑ３のオン期間（チョークコイルＬ２の出力印加電圧による励磁期間）
このように、逆流動作時は出力からの電力供給によりチョークが励磁され、入力に電力が回生される。出力から通常動作電圧以上の異常電圧が印加された場合や、出力負荷の過渡急変時に出力に過大な電圧が発生した場合、何の手立ても施さないと、チョークコイルＬ２が通常動作時より過大に励磁されることになる。【００３８】
すなわち、通常動作時は主スイッチ素子Ｑ１のオンデューティ比（Ｑ１オン期間ton／スイッチング周期T）と、トランスオンデューティ比（トランスに入力電圧が印加されている期間ｔon_ｔ／スイッチング周期Ｔ)がほぼ一致する（期間Ｃで若干ずれる。）が、逆流動作時はton＜ton_tとなって、Ｑ１のオンデューティ比とトランスオンデューティ比が期間Ｃ’の発生により一致しなくなる。【００３９】
〈直接駆動型動作〉
図３の（Ｃ）は直接駆動型での波形図である。図３の（Ｃ）において、各期間Ａ〜Ｅの状態は次のとおりである。
期間Ａ：Ｑ１のオン事前トリガ発信期間、Ｑ３のオフ期間
期間Ｂ：Ｑ１オン期間、トランスオン期間
この期間Ｂは、通常動作時とは異なり、チョークコイルＬ２の励磁リセット期間であり、電力は出力側から入力側へ回生される。【００４０】
期間Ｃ’：Ｑ２のドレイン・ソース間容量とチョークコイルＬ２が共振（自由共振）してチョークコイルＬ２が励磁リセットされる期間
期間Ｃ：チョークコイルＬ２の反転期間、Ｑ１オフ期間、トランスオン期間
期間Ｄ：Ｑ２，Ｑ３の同時オフ期間
期間Ｅ：Ｑ３のオン期間（チョークコイルＬ２の出力印加電圧による励磁期間）
図２に示した出力端子３２ａ−３２ｂ間に通常動作電圧Ｖｏを超える異常電圧Ｖａｂが生じた場合、Ｑ3オン時にチョークコイルＬ２に異常電圧が印加され励磁される。この実施形態のようなチョークインプット整流のフォワードコンバータでは、主トランスＴ１のオンデューティ比をＤ、主トランスＴ１の1次巻線Ｎ１１の巻数をｎ１、主トランスＴ１の２次巻線Ｎ１２の巻数をｎ２、主トランスＴ１の3次巻線の巻数をｎ３、２次出力電圧をＶｏ、3次出力電圧をＶｔ、入力電圧をＶｉｎとすると、通常以下の式が成立する。【００４１】
Ｖｏ＝（ｎ２／ｎ１）×Ｄ×Ｖｉｎ      …（１）
Ｖｔ＝（ｎ３／ｎ１）×Ｄ×Ｖｉｎ      …（２）
上記異常電圧Ｖａｂが発生した場合、スイッチング周期Ｔ、定格出力電圧Ｖｏｃとすると、チョークコイルＬ２には次式の磁束密度ΔＢが発生する。【００４２】
ΔＢ＝Ｖａｂ（１−Ｄ）／Ｔ＞ΔＢｃ＝Ｖｏｃ（１−Ｄ）／Ｔ      …（３）
ここで、ΔＢｃは定格電圧出力時のチョークコイルＬ２に生じる磁束密度の変化量である。【００４３】
このΔＢをトランスのオン期間にリセットする必要があるが、定格電圧時のリセット電圧をＶｌ２ｒｃとすると、トランスオン期間でのチョークコイルＬ２の電圧は入力電圧Ｖｉｎと出力の異常電圧Ｖａｂで抑制され、チョークコイルリセット電圧Ｖｌ２ｒは
Ｖｌ２ｒ＝（ｎ２／ｎ１）×Ｖｉｎ−Ｖａｂ＜Ｖｌ２ｒｃ      …（４）
の関係となる。【００４４】
ΔＢのリセットに要する時間をｔｌ２ｒ、通常動作時のリセット期間をｔｌ２ｒｃとすると、
ｔｌ２ｒ＝ΔＢ／Ｖｌ２ｒ＞ｔｌ２ｒｃ＝ΔＢｃ／Ｖｌ２ｒｃ
の関係となり、通常のトランスオン期間より長くなる。この動作は２次のトランス巻線を整流スイッチ素子Ｑ２の駆動に使用した場合に共通であり、整流スイッチ素子Ｑ２のオフが1次側のスイッチング制御回路により制御されていないことに起因する。【００４５】
これに対し直接駆動型動作では、整流スイッチ素子Ｑ２が主スイッチ素子Ｑ１と同時にオフし、２次側のチョークコイルＬ２と整流スイッチ素子Ｑ２の出力容量（スイッチに対して並列に存在する寄生容量）で自由共振現象を起こし、上記ΔＢをｔｌ２ｒより短い期間でリセットすることができる。上記自由共振の共振周波数の半周期ＴresがＤ・Ｔ＞Ｔresとなる場合は、チョークコイルＬ２の励磁によるトランスのオン期間の増加を防ぐことができ、スイッチング制御回路２３からの出力パルスは短くなるが、トランスのオン期間は延びず、3次巻線Ｎ１３の電圧が上昇しない状態で制御が行われる。すなわち、Ｑ１のオンデューティ比とトランスのオンデューティ比が一致しないが、トランスの3次巻線電圧が一定となるようにトランスのオン期間を間接制御しているため、トランスオンデューティは印加電圧により変化しない状態で固定される。このようにして逆流が防止される。【００４６】
また、転流スイッチ素子Ｑ３を主スイッチ素子Ｑ１のオンでオフ、主スイッチ素子Ｑ１のオフでオンというように逆に同期をとり、Ｑ２のオン期間を一定とし、Ｌ２を偏磁することによって逆流電流を吸い込むことができる。Ｑ２は一定のオン期間を保つので異常発振は起こらない。【００４７】
さらに、Ｑ２，Ｑ３がスイッチング制御回路２３の停止と同時に停止され、出力チョークの励磁と励磁状態リセットとによる振動によりトランスが励磁されないため、自励発振が発生しない。【００４８】
以上の効果をまとめると次のとおりである。
（１）整流スイッチ素子Ｑ２を主スイッチ素子Ｑ１と同期して駆動することによって、逆流電流を制限する逆流防止回路機能が生じる。【００４９】
（２）転流スイッチ素子Ｑ３を主スイッチ素子Ｑ１のオン・オフと逆に同期して駆動することにより、異常発振をせずに逆流電流を吸い込める。【００５０】
（３）Ｑ２またはＱ３をＱ１と同期して駆動することにより自励発振が防止される。【００５１】
《第２の実施形態》
次に、第２の実施形態に係る同期整流型フォワードコンバータの構成について、図４〜図６を基に説明する。
図４は第２の実施形態に係る同期整流型フォワードコンバータの回路図、図５・図６はその主要部の波形図である。【００５２】
図４に示すように、スイッチング制御回路２３は、３次整流平滑回路２２からの出力を電源として動作し、且つ同じ出力の抵抗Ｒ２，Ｒ３による分圧電圧を入力するスイッチング制御用ＩＣ２３０を備えている。このスイッチング制御用ＩＣ２３０は、パルストランスＴ２・Ｔ３の１次巻線Ｎ２１・Ｎ３１を通して主スイッチ素子Ｑ１のゲートへスイッチング制御信号を出力する。その際、入力した上記分圧電圧と基準電圧とに基づいて、上記分圧電圧が基準電圧と一致するように主スイッチ素子Ｑ１をＰＷＭ制御する。【００５３】
パルストランスＴ２の１次巻線Ｎ２１にはパルストランスＴ２の励磁リセット用のダイオードＤ３を接続している。Ｄ３の方向をこのようにすることによって、スイッチング制御回路２３から主スイッチ素子Ｑ１をオンする信号が出力された時にのみ、２次巻線Ｎ２２からオンタイミング信号のパルスが出力される。このパルストランスＴ２の２次巻線Ｎ２２には出力電圧調整用の抵抗Ｒ４を接続している。このパルストランスＴ２、ダイオードＤ３、抵抗Ｒ４によって駆動制御信号再生回路２９を構成している。【００５４】
パルストランスＴ３の１次巻線Ｎ３１にはパルストランスＴ３の励磁リセット用のダイオードＤ４を接続している。Ｄ４の方向をこのようにすることによって、スイッチング制御回路２３から主スイッチ素子Ｑ１をオフする信号が出力された時にのみ、２次巻線Ｎ３２からオフタイミング信号のパルスが出力される。このパルストランスＴ３の２次巻線Ｎ３２には出力電圧調整用の抵抗Ｒ１を接続している。このパルストランスＴ３、ダイオードＤ４、抵抗Ｒ１によって駆動制御信号再生回路３０を構成している。【００５５】
整流スイッチ素子Ｑ２のゲート・ソース間には整流スイッチ制御用スイッチ素子Ｑ５を接続している。この整流スイッチ制御用スイッチ素子Ｑ５のゲート・ソース間には、駆動制御信号再生回路３０の出力を接続している。【００５６】
転流スイッチ素子Ｑ３のゲートには、主トランスＴ１の補助巻線Ｎ１４の一端を接続し、この補助巻線Ｎ１４の他端には、転流スイッチ制御用スイッチ素子Ｑ４のドレインを接続している。この転流スイッチ制御用スイッチ素子Ｑ４のゲート・ソース間には、駆動制御信号再生回路２９の出力を接続している。【００５７】
主トランスＴ１の補助巻線Ｎ１４の一端（Ｑ３のゲート接続端）とグランドとの間にはダイオードＤ５およびコンデンサＣ４を直列に接続している。このコンデンサＣ４とダイオードＤ５の接続点である充電電圧出力端とＱ２のゲートとの間に制御用スイッチ素子Ｑ７のドレイン・ソース間を直列に接続し、このＱ７のゲート・ソース間に、Ｑ７のオフ電流供給用の抵抗Ｒ５を接続するとともに、Ｑ７のゲートとグランド間に制御用スイッチ素子Ｑ６を接続している。そして、この制御用スイッチ素子Ｑ６のゲート・ソース間にも前記駆動制御信号再生回路２９の出力を接続している。【００５８】
この第２の実施形態では、転流スイッチ素子Ｑ３を主トランスＴ１の補助巻線Ｎ１４の電圧で制御する。一方、補助巻線Ｎ１４の電圧を使ってダイオードＤ５およびコンデンサＣ４からなる制御電圧信号生成回路２６によって制御電圧信号を生成し、その制御電圧信号をＰ型の制御用スイッチ素子Ｑ７を介して整流スイッチ素子Ｑ２に印加するように構成している。【００５９】
通常、Ｑ７は抵抗Ｒ５を介して供給される電流によってオフ状態である。Ｑ５，Ｑ６も通常はオフ状態である。Ｑ２がオフの時に、主スイッチ素子Ｑ１のオントリガパルスがパルストランスＴ２を介して伝達されると、駆動制御信号再生回路２９からオンタイミング駆動信号が出力され、Ｑ６がオンし、Ｑ７がオンし、Ｑ２がオンする。その後Ｑ６はすぐにオフしてＱ７もすぐにオフするが、Ｑ２は、そのゲート・ソース間の充電電荷があるためオン状態を続ける。【００６０】
次に、主スイッチ素子Ｑ１のオフトリガパルスがパルストランスＴ３を介して伝達されると、駆動制御信号再生回路３０からオフタイミング駆動信号が出力され、Ｑ５がオンし、Ｑ５がＱ２のゲート・ソース間充電電荷を放電するのでＱ２はオフする。その後Ｑ５はすぐにオフするが、Ｑ７がオフしていて、Ｑ２のゲートへの電流供給経路がないので、Ｑ２はオフ状態を続ける。【００６１】
図６は図４に示したスイッチ素子Ｑ１，Ｑ５，Ｑ６，Ｑ７，Ｑ２のそれぞれのゲート電圧の波形図である。このように、主スイッチ素子Ｑ１がオンする時にＱ６，Ｑ７がオンし、Ｑ２がオンする。またＱ１がオフする時にＱ５がオンしてＱ２はオフする。このようにして１次側の制御によって整流スイッチ素子Ｑ２が直接駆動されることになる。【００６２】
図４に示した回路で、出力に異常電圧が発生した場合に、Ｑ３のオンの期間にチョークコイルＬ２が励磁されるが、Ｑ７が主スイッチ素子Ｑ１に同期してオフすることにより、整流スイッチ素子Ｑ２の出力容量（ドレイン・ソース間の寄生容量）、転流スイッチ素子Ｑ３の出力容量（ドレイン・ソース間の寄生容量）と、チョークコイルＬ２とで自由共振し、トランスオン期間を増加させずにチョークコイルＬ２の励磁状態をリセットすることができる。このＬ２のリセット時間は、主トランスＴ１のオン期間とＱ１のオン期間の差となるが、３次整流平滑回路２２の出力電圧を一定化するようにＰＷＭ制御させるため、自動的にリセット時間が発生する。【００６３】
図５の（ａ）は、図４に示したチョークコイルＬ２の両端電圧の変化を示している。また図５の（ｂ）は、図４における整流スイッチ素子Ｑ２を１次側から制御せずに、２次巻線Ｎ１２の電圧で制御した場合のチョークコイルＬ２の両端電圧の変化の例を比較例として示している。ここでＴｏｕｔは出力による励磁期間、Ｔｏｎは整流スイッチ素子Ｑ２のオン期間（＝主スイッチ素子Ｑ１のオン期間）、Ｔｏｆｆは整流スイッチ素子Ｑ２および転流スイッチ素子Ｑ３のオフ期間である。図中のハッチング部分が正負で同一面積となる時に励磁状態のリセットが完了することになる。すなわち、Ｔｏｎ＋Ｔｏｆｆ（＝Ｔｒ）がチョークコイルＬ２のリセット期間である。【００６４】
上記Ｑ２のオン期間Ｔｏｎの電圧Ｖｏｕｔは出力電圧（この電圧は外部印加電圧のために固定されている。）である。また、電圧Ｖｏは、主トランスＴ１の１次巻線Ｎ１１，２次巻線Ｎ１２の巻数をそれぞれｎ１１，ｎ１２とし、入力電圧をＶｉｎとした時、
Ｖｏ＝（ｎ１２／ｎ１１）Ｖｉｎ
の関係にある電圧である。【００６５】
整流スイッチ素子Ｑ２を１次側から制御せずに２次巻線Ｎ１２の電圧で制御した場合に逆流が生じると、図５の（ｂ）に示すように、チョークコイルＬ２のリセット期間Ｔｒ′が長くなってしまう。これに対して、整流スイッチ素子Ｑ２を１次側から制御すれば、図５の（ａ）に示すようにトランス励磁期間が延びず、３次巻線Ｎ１３の電圧が上昇しない状態で、１次側のスイッチング制御回路２３の制御が行われる。その結果、３次整流平滑回路２２の出力電圧が一定となるようにＱ１のオン（主トランスＴ１のオン）期間を制御することで出力電圧の安定した制御が可能となる。また、異常発振の発生を止めることができる。さらに、スイッチング制御回路２３の制御範囲を超えてトランスのオン期間が広がって主トランスＴ１の励磁状態がリセットできなくなることによる主スイッチ素子Ｑ１のストレスの問題も解消できる。【００６６】
《第３の実施形態》
次に、第３の実施形態に係る同期整流型フォワードコンバータの構成について、図７・図８を基に説明する。
図７は第３の実施形態に係る同期整流型フォワードコンバータの回路図、図８はその主要部の波形図である。【００６７】
この第３の実施形態では、整流スイッチ素子Ｑ２のゲートに主トランスＴ１の２次巻線Ｎ１２の一端を接続して、このＱ２を従来とおりトランスの電圧で制御するように構成している。一方、制御電圧信号生成回路２６の出力電圧を、制御用スイッチ素子Ｑ７を介して転流スイッチ素子Ｑ３のゲート・ソース間に印加するように構成している。制御用スイッチ素子Ｑ７のゲートとグランド間には制御用スイッチ素子Ｑ６を接続している。また、Ｑ３のゲート・ソース（グランド）間には転流スイッチ制御用スイッチ素子Ｑ４を接続している。そして、パルストランスＴ３，ダイオードＤ４，抵抗Ｒ１からなる駆動制御信号再生回路３０の出力をＱ６のゲートに印加し、パルストランスＴ２，ダイオードＤ３，抵抗Ｒ４からなる駆動制御信号再生回路２９の出力をＱ４のゲートに印加するように構成している。スイッチ素子Ｑ７は抵抗Ｒ５を介して供給される電流によって通常はオフ状態である。Ｑ４，Ｑ６も通常はオフ状態である。Ｑ３がオフの時、主スイッチ素子Ｑ１のオフトリガパルスがパルストランスＴ３を介して伝達されると、駆動制御信号再生回路３０からオフタイミング駆動信号が出力され、Ｑ６がオンし、Ｑ７がオンし、Ｑ３がオンする。その後Ｑ６はすぐにオフし、Ｑ７もすぐにオフするが、Ｑ３は、そのゲート・ソース間の充電電荷があるためにオン状態を続ける。【００６８】
次に、主スイッチ素子Ｑ１のオントリガパルスがパルストランスＴ２を介して伝達されると、駆動制御信号再生回路２９からオンタイミング駆動信号が出力され、Ｑ４がオンし、Ｑ３のゲート・ソース間充電電荷が放電されるのでＱ３はオフする。その後、Ｑ４はすぐにオフするが、Ｑ７はオフしていて、Ｑ３のゲートへの電流供給経路がないので、Ｑ３はオフ状態を続ける。【００６９】
図８は図７に示したスイッチ素子Ｑ１，Ｑ６，Ｑ４，Ｑ７，Ｑ３のそれぞれのゲート電圧の波形図である。このように、主スイッチ素子Ｑ１がオフする時にＱ６，Ｑ７がオンし、Ｑ３がオンする。またＱ１がオンする時にＱ４がオンしてＱ３はオフする。このようにして１次側の制御によって転流スイッチ素子Ｑ３が直接駆動されることになる。【００７０】
このように、Ｑ３はＱ１がオンする時に強制的にオフし、Ｑ１がオフする時にオンするため、主トランスＴ１のオン期間が変化せず、３次巻線Ｎ１３の電圧が上昇しない。また、Ｑ３のオン時にＬ２が励磁されるが、Ｑ２のオン時にリセットされないため偏磁する。このことによって逆流電流を吸い込むことができ、Ｌ２が飽和するまで出力からの逆電流を１次側へ回生しながら安定した動作（出力は略無負荷時と同様）を行うことができる。転流スイッチ素子Ｑ３はオフすべきタイミング（Ｑ１のオンタイミング）で強制的にオフされるため自励発振は発生しない。【００７１】
《第４の実施形態》
次に、第４の実施形態に係る同期整流型フォワードコンバータの構成について、図９を基に説明する。
この第４の実施形態に係る同期整流型フォワードコンバータは、整流スイッチ素子Ｑ２および転流スイッチ素子Ｑ３の両方を１次側から直接駆動するようにしたものである。Ｑ２の駆動については図４に示したものと同様である。Ｑ２のゲートとＱ３のゲートとの間には、Ｑ２のゲート電圧のHigh／Lowの論理レベルを反転するインバータ３１を転流スイッチ素子制御回路として接続している。すなわち、整流スイッチ素子Ｑ２を主スイッチ素子Ｑ１のオン・オフに同期させてオン・オフさせると共に、転流スイッチ素子Ｑ３をオフ・オンさせる。その際、Ｑ２がオフしてから、インバータ３１の遅延時間の後、Ｑ３がオンすることになり、Ｑ２・Ｑ３の同時オンが防止できる。【００７２】
《第５の実施形態》
次に、第５の実施形態に係る同期整流型フォワードコンバータの構成について、図１０を基に説明する。
図１０はその回路図である。図４に示した回路では、２つのパルストランスＴ２，Ｔ３を用いて主スイッチ素子Ｑ１のオントリガパルスとオフトリガパルスを伝達するようにしたが、この図１０に示す同期整流型フォワードコンバータでは、単一のパルストランスＴ２を用いて、Ｑ１のオントリガパルスとオフトリガパルスを２次側に伝達するようにしている。【００７３】
パルストランスＴ２の２次巻線Ｎ２２にはダイオードＤ９，Ｄ１０によるダイオードブリッジを設けている。このパルストランスＴ２とダイオードＤ９，Ｄ１０とによって駆動制御信号再生回路２５を構成している。この駆動制御信号再生回路２５は、図４に示した駆動制御信号再生回路２９，３０の両方の機能を持ったものと言える。すなわち、パルストランスＴ２の１次側のリセット用ダイオードを削除し、代わりにクランプ用のダイオードＤ７，Ｄ８を設けるとともに、パルストランスＴ２の２次側に上記ダイオードＤ９，Ｄ１０からなるダイオードブリッジを設けている。ダイオードＤ７，Ｄ８はパルストランスＴ２のオン・オフ時の励磁をリセットする。【００７４】
パルストランスＴ２の２次巻線Ｎ２２の一端とダイオードＤ９のカソードとの接続点と整流スイッチ制御用スイッチ素子Ｑ５のゲートとの間は逆流防止用のダイオードＤ１３を介して接続している。このＱ５のゲートとグランドとの間には抵抗Ｒ８を接続し、パルストランスＴ２の２次巻線Ｎ２２の他端とグランドとの間に抵抗Ｒ７を接続している。この２つの抵抗Ｒ７，Ｒ８は、主スイッチ素子Ｑ１のオフトリガパルス発生時のパルストランスＴ２の２次巻線Ｎ２２に発生する電圧を調整するための抵抗である。【００７５】
パルストランスＴ２の２次巻線Ｎ２２の一端とダイオードＤ１０のカソードとの接続点と制御用スイッチ素子Ｑ６のゲートとの間は逆流防止用のダイオードＤ１４を介して接続している。このＱ６のゲートとグランドとの間に抵抗Ｒ１０を接続し、パルストランスＴ２の２次巻線Ｎ２２の他端とグランドとの間に抵抗Ｒ６を接続している。この２つの抵抗Ｒ６，Ｒ１０は、主スイッチ素子Ｑ１のオントリガパルス発生時のパルストランスＴ２の２次巻線Ｎ２２に発生する電圧を調整するための抵抗である。【００７６】
Ｑ６のドレインとＱ５のゲートの間にはダイオードＤ１２を接続している。このダイオードＤ１２により、Ｑ６オン時にＱ５が必ずオフするため、Ｑ７とＱ５の同時オンによるＱ５の損失増加が防止できる。
その他の構成は図４に示したものと同様である。
このように主スイッチ素子Ｑ１のオンタイミングとオフタイミングを単一のパルストランスＴ２を用いて２次側へ伝達し、２次側で分離して整流スイッチ素子Ｑ２の駆動信号を再生するようにしたので、部品点数が削減できる。【００７７】
《第６の実施形態》
次に、第６の実施形態に係る同期整流型フォワードコンバータの構成について、図１１を基に説明する。
図１１に示す同期整流型フォワードコンバータでは、フリップフロップ（ＲＳフリップフロップＩＣ）３４を用いて、駆動制御信号再生回路３３からの信号を基に整流スイッチ素子Ｑ２を制御するように構成している。【００７８】
パルストランスＴ２の２次巻線Ｎ２２にはダイオードＤ９，Ｄ１０によるダイオードブリッジを設けている。このパルストランスＴ２とダイオードＤ９，１０とによって駆動制御信号再生回路３３を構成している。パルストランスＴ２の１次側にはリセット用のダイオードは無く、その代わりにクランプ用のダイオードＤ７，Ｄ８を設け、このダイオードＤ７，Ｄ８によってパルストランスＴ２のオン・オフ時の励磁をリセットする。ダイオードＤ１０のカソードからの出力信号を転流スイッチ制御用スイッチ素子Ｑ４のゲートへ入力している。これにより、主スイッチ素子Ｑ１のオンタイミングでＱ４がオンし、Ｑ３のゲート・ソース間充電電荷が放電されるのでＱ３はオフする。なお、Ｑ３の制御に関しては従来技術と同じである。【００７９】
またこのＱ４のゲートへ印加される信号をフリップフロップ３４のセット入力端子Ｓに入力し、ダイオードＤ９のカソードからの出力信号をフリップフロップ３４のリセット入力端子Ｒに入力するように接続している。そして、フリップフロップ３４のＱ出力信号を、ドライバ３５を介してＱ２のゲートへ駆動信号として与えるようにしている。したがって、Ｑ１がオンする時にフリップフロップ３４がセットされ、Ｑ２がオンする。またＱ１がオフする時にフリップフロップ３４がリセットされてＱ２は強制的にオフされる。【００８０】
なお、フリップフロップ３４の電源としては、例えばこのコンバータの出力や、トランスの電圧変化を利用して供給すればよい。その場合には、起動時に電圧が発生していないので、フリップフロップ３４は動作しないが、整流スイッチ素子Ｑ２および転流スイッチ素子Ｑ３はそれぞれＭＯＳＦＥＴであって、内蔵するボディダイオードによってダイオード整流を行うので、動作上問題とはならない。コンバータの出力電圧が発生した段階でフリップフロップ３４が動作して上述の動作を行うようになる。【００８１】
《第７の実施形態》
次に、第７の実施形態に係る同期整流型フォワードコンバータの構成について、図１２を基に説明する。
図１２は第７の実施形態に係る同期整流型フォワードコンバータの回路図である。この例では、フリップフロップ３４の／Ｑ出力信号（Ｑの反転出力信号）を、ドライバ３５を介して転流スイッチ素子Ｑ３のゲートへ印加するように構成している。整流スイッチ素子Ｑ２のゲートには、主トランスＴ１の２次巻線Ｎ１２の一端から信号を供給するようにしている。すなわち整流スイッチ素子Ｑ２を巻線駆動し、転流スイッチ素子Ｑ３を１次側から直接駆動するようにしている。Ｑ１がオフする時にダイオードＤ９のカソード側から出力される信号によってフリップフロップ３４はリセットされ、Ｑ３がオンする。Ｑ１がオンする時にはダイオードＤ１０のカソード側から出力される信号によってフリップフロップ３４がセットされ、Ｑ３が強制的にオフされる。【００８２】
この図１２に示した同期整流型フォワードコンバータの作用効果は図７に示したものと同様であるが、フリップフロップ３４がＩＣ化できるので、全体の部品点数が削減できる。【００８３】
《第８の実施形態》
次に、第８の実施形態に係る同期整流型フォワードコンバータの構成について、図１３を基に説明する。
図１３はこの第８の実施形態に係る同期整流型フォワードコンバータの回路図である。この例ではフリップフロップ３４のＱ出力を、ドライバ３６を介してＱ２のゲートに印加するようにし、フリップフロップ３４の／Ｑ出力（Ｑの反転出力信号）をドライバ３５を介してＱ３のゲートへ印加するように構成している。【００８４】
このように整流スイッチ素子Ｑ２と転流スイッチ素子Ｑ３の両方を１次側から直接駆動するようにしたことにより、図９に示した同期整流型フォワードコンバータと同様の作用効果を奏する。しかもＩＣ化されたフリップフロップを用いることによって全体の部品点数が削減できる。【００８５】
《第９の実施形態》
次に第９の実施形態に係る同期整流型フォワードコンバータについて、図１４を基に説明する。
この第９の実施形態では、第６〜第８の実施形態で示した同期整流型フォワードコンバータのフリップフロップ３４およびドライバ３５，３６に対する電源をどのようにして供給するかについて示す。【００８６】
図１４において制御電圧信号生成回路２６は電圧信号を整流するダイオードＤ５およびその整流電圧を充電するコンデンサＣ４によって構成している。図１４においては、コンデンサＣ４の電圧がフリップフロップ３４およびドライバ３５に対する電源として印加される。なお、この制御電圧信号生成回路２６に対する電圧供給源としては、図１４に示すａ点以外にもｂ，ｃ，ｄのいずれかの点でも構わない。この制御電圧信号生成回路２６でチャージした電圧をレギュレータで昇降圧するようにしてもよい。【００８７】
また、主トランスＴ１の２次巻線Ｎ１２または他の別巻線の出力をダイオード整流する回路を設けてよい。
さらに、２次側に接続した別の電源回路から電力供給するようにしてもよい。
【図１】
0004623096.tif 000002
【図２】
0004623096.tif 000003
【図３】
0004623096.tif 000004
【図４】
0004623096.tif 000005
【図５】
0004623096.tif 000006
【図６】
0004623096.tif 000007
【図７】
0004623096.tif 000008
【図８】
0004623096.tif 000009
【図９】
0004623096.tif 000010
【図１０】
0004623096.tif 000011
【図１１】
0004623096.tif 000012
【図１２】
0004623096.tif 000013
【図１３】
0004623096.tif 000014
【図１４】
0004623096.tif 000015